(57)【要約】      （修正有）【課題】耐衝撃性の高いケースおよびそれを備えた時計を提供する。【解決手段】ケース本体の側部に配置されるバンド取付部３と、ケース本体の上部外周に装着される外装部材１１と、バンド取付部３をケース本体の側部に位置決めする位置決め部４と、この位置決め部４の両側に位置し、バンド取付部３に設けられ、外装部材１１が第１ねじ部材１６によって取り付けられるねじ止め部７と、を備えている。従って、ケース本体の側部に位置決め部４によって位置決めされたバンド取付部３に外装部材１１を第１ねじ部材１６によって取り付けることができる。このため、外装部材１１がその上方から衝撃を受けた際に、その衝撃をバンド取付部３で受け止めることができるので、衝撃が直接ケース本体に加わらないようにすることができる。【選択図】図２
2019060765.tif 000002
【特許請求の範囲】
【請求項１】
ケース本体と、
前記ケース本体の側部に配置されるバンド取付部と、
前記ケース本体の上部に装着される外装部材と、
前記バンド取付部を前記ケース本体の側部に位置決めする位置決め部と、
前記位置決め部の両側に位置し、前記バンド取付部に設けられ、前記外装部材が第１ねじ部材によって取り付けられるねじ止め部と、
を備えていることを特徴とするケース。
【請求項２】
請求項１に記載のケースにおいて、前記位置決め部は、前記ケース本体と前記バンド取付部との一方に設けられた突起部と、前記ケース本体と前記バンド取付部との他方に設けられて前記突起部が係合する係合部と、を備えていることを特徴とするケース。
【請求項３】
請求項１または請求項２に記載のケースにおいて、前記ケース本体と前記バンド取付部との間には、第１緩衝部材が設けられていることを特徴とするケース。
【請求項４】
請求項１〜請求項３のいずれかに記載のケースにおいて、前記外装部材と前記ケース本体との間には、第２緩衝部材が設けられていることを特徴とするケース。
【請求項５】
請求項１〜請求項４のいずれかに記載のケースにおいて、前記外装部材と前記ねじ止め部との間には、装飾部材が設けられていることを特徴とするケース。
【請求項６】
請求項１〜請求項５のいずれかに記載のケースにおいて、前記第１ねじ部材は、前記外装部材と前記装飾部材との挿入孔に挿入されて前記ねじ止め部に当接する首下部を備えた段付きねじであることを特徴とするケース。
【請求項７】
請求項１〜請求項６のいずれかに記載のケースにおいて、前記ケース本体の下部に配置される裏蓋と、前記裏蓋を前記ねじ止め部に取り付ける第２ねじ部材と、を備えていることを特徴とするケース。
【請求項８】
請求項１〜請求項７のいずれかに記載されたケースを備えていることを特徴とする時計。
【発明の詳細な説明】
【技術分野】
【０００１】
この発明は、腕時計などの電子機器に用いられるケースおよびそれを備えた時計に関する。
【背景技術】
【０００２】
例えば、腕時計ケースにおいては、特許文献１に記載されているように、ケース本体の上部外周に外装部材を配置し、この外装部材をケース本体にねじ部材によって取り付けた構造のものが知られている。
【先行技術文献】
【特許文献】
【０００３】
【特許文献１】特開２００２−１０１９２３号公報
【発明の概要】
【発明が解決しようとする課題】
【０００４】
このような腕時計ケースでは、外装部材が外部からの衝撃を受けた際に、その衝撃が直接ケース本体に伝わり、ケース本体内に組み込まれた電子部品が衝撃によって破損し易いという問題がある。
【０００５】
この発明が解決しようとする課題は、耐衝撃性の高いケースおよびそれを備えた時計を提供することである。
【課題を解決するための手段】
【０００６】
この発明は、ケース本体と、前記ケース本体の側部に配置されるバンド取付部と、前記ケース本体の上部に装着される外装部材と、前記バンド取付部を前記ケース本体の側部に位置決めする位置決め部と、前記位置決め部の両側に位置し、前記バンド取付部に設けられ、前記外装部材が第１ねじ部材によって取り付けられるねじ止め部と、を備えていることを特徴とするケースである。
【発明の効果】
【０００７】
この発明によれば、外部から衝撃を受けても、その衝撃が直接ケース本体に伝わることがないので、耐衝撃性を高めることができる。
【図面の簡単な説明】
【０００８】
【図１】この発明を腕時計ケースに適用した一実施形態を示した拡大斜視図である。
【図２】図１に示された腕時計ケースを分解して示した拡大斜視図である。
【図３】図１に示された腕時計ケースのＡ−Ａ矢視における要部を示した拡大断面図である。
【図４】図１に示された腕時計ケースのＢ−Ｂ矢視における要部を示した拡大断面図である。
【発明を実施するための形態】
【０００９】
以下、図１〜図４を参照して、この発明を腕時計ケースに適用した一実施形態について説明する。
この腕時計ケースは、図１および図２に示すように、ケース本体１を備えている。このケース本体１は、硬質の合成樹脂によってほぼリング状に形成されている。このケース本体１の２時側、３時側、４時側、および８時側には、スイッチ装置（図示せず）が取り付けられるスイッチ取付孔２がそれぞれ設けられている。
【００１０】
また、このケース本体１の１２時側と６時側との各側部には、図１および図２に示すように、一対のバンド取付部３が位置決め部４によって位置決めされている。これら一対のバンド取付部３それぞれは、時計バンド（図示せず）が取り付けられるものであり、ケース本体１の側面に配置されるケース取付片５と、時計バンドが連結されるバンド連結片６とを備え、これらがステンレスなどの金属によって一体に形成されている。
【００１１】
ケース取付片５は、図１および図２に示すように、ケース本体１の側面に対向する内面がケース本体１の側面と同じ曲率の円弧状に形成され、外側面が横長の長方形状に形成され、両側部にねじ止め部７が形成された構造になっている。バンド連結片６は、ケース取付片５の外側面における中間部からケース本体１の外部側に向けて突出し、この突出した部分にバンド取付孔６ａがケース本体１の円周方向に貫通して設けられた構造になっている。
【００１２】
位置決め部４は、図２および図３に示すように、ケース本体１の１２時側と６時側との各側部に設けられた突起部８と、これに対向する一対のバンド取付部３の各ケース取付片５における円弧状の内面に設けられて突起部８が嵌合する係合凹部９と、を備えている。これにより、位置決め部４は、ケース本体１の側部に設けられた突起部８にケース取付片５の内側部に設けられた係合凹部９が上方から差し込まれて嵌合することにより、バンド取付部３をケース本体１の側部に位置決めするように構成されている。
【００１３】
すなわち、この位置決め部４は、図２および図３に示すように、ケース本体１の突起部８にケース取付片５の係合凹部９が嵌合した際に、ケース本体１の側部に対するバンド取付部３の上下方向の位置を規制すると共に、ケース本体１の側部におけるバンド取付部３の円周方向の位置を規制する。これにより、一対のバンド取付部３は、ケース本体１の１２時側と６時側との各側部に位置決め部４によって位置決めされるように構成されている。
【００１４】
この場合、ケース本体１とバンド取付部３との間には、図２および図３に示すように、第１緩衝部材１０が設けられている。この第１緩衝部材１０は、ウレタン樹脂、シリコーン樹脂などの弾力性のある合成樹脂によってシート状に形成されている。この第１緩衝部材１０は、ケース本体１の突起部８の上側とバンド取付部３の係合凹部９の上側とに位置するケース本体１の側部とケース取付片５の内面との間に配置され、バンド取付部３がケース本体１の外周方向から衝撃を受けた際に、その衝撃を緩衝するように構成されている。
【００１５】
一方、ケース本体１の上部外周には、図１〜図４に示すように、外装部材１１が第２緩衝部材１２を介して設けられている。第２緩衝部材１２は、ウレタン樹脂、シリコーン樹脂などの弾力性のある合成樹脂によってほぼリング状に形成されている。この第２緩衝部材１２は、ケース本体１の上端面と外装部材１１との間に配置されることにより、外装部材１１が上方から衝撃を受けた際に、その衝撃を緩衝するように構成されている。
【００１６】
また、この第２緩衝部材１２には、図１および図２に示すように、ケース本体１に設けられた複数のスイッチ取付孔２の外周を囲う複数の保護リング部１２ａと、これら複数の保護リング部１２ａの各側部に配置されて、スイッチ装置（図示せず）を保護する複数の保護突起部１２ｂと、が一体に設けられている。
【００１７】
外装部材１１は、図１〜図４に示すように、ステンレスなどの金属によってほぼリング状に形成されている。すなわち、この外装部材１１は、ケース本体１の上端面に第２緩衝部材１２を介して配置されると共に、ケース本体１の上部における外周を覆って配置されるように構成されている。
【００１８】
この外装部材１１には、図１および図２に示すように、一対のバンド取付部３の各ケース取付片５における両側に位置する各ねじ止め部７の上部を覆って配置される取付カバー部１３がそれぞれ設けられている。また、この外装部材１１には、第２緩衝部材１２の複数の保護突起部１２ｂ上にそれぞれ配置されて複数の保護突起部１２ｂの上部を覆う複数の保護カバー部１１ａが設けられている。
【００１９】
この場合、外装部材１１の取付カバー部１３とバンド取付部３のケース取付片５との間には、図２〜図４に示すように、装飾部材１５が配置されている。この装飾部材１５は、ポリアセタール（ＰＯＭ）、ポリアミド（ＰＡ）、ポリカーボネート（ＰＣ）などの剛性の高い硬質の合成樹脂で形成されている。この装飾部材１５は、ケース取付片５における両側のねじ止め部７と外装部材１１の取付カバー部１３との間に配置された際に、ケース本体１側に向けて突出して配置されている。
【００２０】
これにより、第２緩衝部材１２は、図２〜図４に示すように、ケース本体１側に向けて突出した装飾部材１５の内端部と外装部材１１の取付カバー部１３との間に配置されている。また、装飾部材１５は、ケース取付片５における両側のねじ止め部７と外装部材１１の取付カバー部１３との間に配置された際に、ケース本体１の外周方向における装飾部材１５の両端部がねじ止め部７と取付カバー部１３との間から外部に露出することにより、デザイン的なアクセントになるように構成されている。
【００２１】
ところで、外装部材１１と装飾部材１５とは、図２および図４に示すように、第１ねじ部材１６によってケース取付片５における両側のねじ止め部７に取り付けられている。すなわち、ケース取付片５における両側のねじ止め部７には、ねじ孔７ａが上下に貫通して設けられている。また、外装部材１１の取付カバー部１３と装飾部材１５とには、第１ねじ部材１６が挿入するねじ挿入孔１３ａ、１５ａがねじ止め部７のねじ孔７ａと同一軸上で対応して設けられている。
【００２２】
この場合、第１ねじ部材１６は、図２および図４に示すように、段付きねじである。この第１ねじ部材１６は、ねじ止め部７のねじ孔７ａに螺合するねじ部１６ａと、外装部材１１の取付カバー部１３と装飾部材１５とに設けられたねじ挿入孔１３ａ、１５ａに挿入してねじ止め部７の上面に当接する首下部１６ｂと、外装部材１１の取付カバー部１３におけるねじ挿入孔１３ａの内径よりも外径が大きい頭部１６ｃと、を備えている。
【００２３】
これにより、第１ねじ部材１６は、図２および図４に示すように、外装部材１１が第２緩衝部材１２を介してケース本体１の上部外周に装着された状態で、ねじ部１６ａが外装部材１１の取付カバー部１３のねじ挿入孔１３ａと装飾部材１５のねじ挿入孔１５ａとに上方から挿入されてねじ止め部７のねじ孔７ａに螺合して締め付けられることにより、外装部材１１をバンド取付部３のケース取付片５に取り付けるように構成されている。
【００２４】
この場合、第１ねじ部材１６は、図２および図４に示すように、ねじ部１６ａがねじ止め部７のねじ孔７ａに螺合して締め付けられた際に、第１ねじ部材１６の首下部１６ｂが外装部材１１の取付カバー部１３のねじ挿入孔１３ａと装飾部材１５のねじ挿入孔１５ａとに挿入されてねじ止め部７の上面に押し当てられるように構成されている。
【００２５】
また、この第１ねじ部材１６は、図２および図４に示すように、首下部１６ｂがねじ止め部７の上面に押し当てられた際に、第１ねじ部材１６の頭部１６ｃが外装部材１１の取付カバー部１３をねじ止め部７に向けて押え付けることにより、第２緩衝部材１２と装飾部材１５とが外装部材１１によってねじ止め部７の上面に押し付けられ、この状態で外装部材１１をバンド取付部３のケース取付片５に取り付けるように構成されている。
【００２６】
一方、ケース本体１の下部には、図１〜図４に示すように、裏蓋１７が防水パッキン１７ａを介して配置されている。この裏蓋１７の外周には、裏蓋１７がケース本体１の下部に配置された際に、一対のバンド取付部３の各ケース取付片５の下面にそれぞれ配置される一対の鍔部１８が設けられている。これら一対の鍔部１８それぞれには、ケース取付片５のねじ止め部７のねじ孔７ａと同一軸上で対応するねじ挿入孔１８ａがそれぞれ設けられている。
【００２７】
これにより、裏蓋１７は、図１〜図４に示すように、一対の鍔部１８の各ねじ挿入孔１８ａが各ケース取付片５のねじ止め部７のねじ孔７ａにそれぞれ同一軸上で対応した状態で、第２ねじ部材１９が一対の鍔部１８の各ねじ挿入孔１８ａにそれぞれ挿入されて、第２ねじ部材１９のねじ部１９ａがねじ止め部７のねじ孔７ａに下側から螺合して締め付けられることにより、一対のバンド取付部３の各ケース取付片５に取り付けられるように構成されている。
【００２８】
すなわち、第２ねじ部材１９は、図１〜図４に示すように、ねじ部１９ａをねじ止め部７のねじ孔７ａに螺合させて締め付けた際に、第２ねじ部材１９のねじ部１９ａの先端が第１ねじ部材１６のねじ部１６ａの先端に当接することなく、隙間を持って接近するように構成されている。これにより、第２ねじ部材１９は、頭部１９ｂが鍔部１８をバンド取付部３のケース取付片５の下面に押し付けることにより、裏蓋１７をバンド取付部３のケース取付片５に取り付けるように構成されている。
【００２９】
次に、この腕時計ケースの作用について説明する。
この腕時計ケースを組み立てる場合には、まず、ケース本体１の１２時側と６時側との各側部に一対のバンド取付部３を位置決め部４によって位置決めして配置する。このときには、予め、第１緩衝部材１０をケース本体１の側部における突起部８の上側に配置する。この状態で、ケース本体１の側部に設けられた突起部８に、バンド取付部３のケース取付片５の内面に設けられた係合凹部９を上方から嵌合させる。
【００３０】
これにより、第１緩衝部材１０がケース本体１の側部における突起部８の上側とバンド取付部３のケース取付片５における係合凹部９の上側との間に配置される。この状態では、ケース本体１の側部に対するバンド取付部３の上下方向の位置が位置決め部４によって規制されると共に、ケース本体１の側部の円周方向におけるバンド取付部３の位置が位置決め部４によって規制される。これにより、一対のバンド取付部３がケース本体１の１２時側と６時側との各側部に位置決めされて配置される。
【００３１】
この状態で、ケース本体１の上端部に第２緩衝部材１２を配置して、ケース本体１の上部外周に外装部材１１を配置する。このときには、予め、バンド取付部３のケース取付片５の上面に装飾部材１５を配置し、この状態でケース本体１の上端面に第２緩衝部材１２を配置する。すると、第２緩衝部材１２の複数の保護リング部１２ａがケース本体１の複数のスイッチ取付孔２の外周に配置されると共に、第２緩衝部材１２の複数の保護突起部１２ｂがケース本体１の複数のスイッチ取付孔２の各側部に配置される。
【００３２】
そして、外装部材１１をケース本体１の上部外周に配置する。このときには、外装部材１１の取付カバー部１３をバンド取付部３のケース取付片５における両側のねじ止め部７上に対応させると共に、外装部材１１の保護カバー部１１ａを第２緩衝部材１２の複数の保護突起部１２ｂ上に対応させる。すると、外装部材１１の取付カバー部１３とバンド取付部３のケース取付片５における両側のねじ止め部７との間に装飾部材１５が挟まれる。
【００３３】
また、このときには、外装部材１１の取付カバー部１３のねじ挿入孔１３ａと装飾部材１５のねじ挿入孔１５ａとがケース取付片５のねじ止め部７のねじ孔７ａに同一軸上で対応する。この状態で、第１ねじ部材１６によって外装部材１１をケース取付片５のねじ止め部７に取り付ける。このときには、第１ねじ部材１６のねじ部１６ａを外装部材１１の取付カバー部１３と装飾部材１５とのねじ挿入孔１３ａ、１５ａに上方から挿入させてねじ止め部７のねじ孔７ａに螺合させて締め付ける。
【００３４】
また、このときには、第１ねじ部材１６の首下部１６ｂが外装部材１１の取付カバー部１３と装飾部材１５とのねじ挿入孔１３ａ、１５ａに挿入されてねじ止め部７の上面に接近または接触し、この状態で第１ねじ部材１６のねじ部１６ａがねじ止め部７のねじ孔７ａに締め付けられると、第１ねじ部材１６の首下部１６ｂがねじ止め部７の上面に押し当てられる。
【００３５】
これにより、第１ねじ部材１６の頭部１６ｃが外装部材１１の取付カバー部１３をねじ止め部７に向けて押え付けられる。このときには、第１ねじ部材１６の首下部１６ｂがねじ止め部７の上面に押し当てられていることにより、第２緩衝部材１２と装飾部材１５とが外装部材１１の取付カバー部１３によってねじ止め部７の上面に一定の押圧力で押し付けられ、この状態で外装部材１１がバンド取付部３のケース取付片５に取り付けられる。
【００３６】
そして、ケース本体１の下部に裏蓋１７を配置してバンド取付部３に取り付ける。このときには、裏蓋１７をケース本体１の下部に配置し、この裏蓋１７の一対の鍔部１８を一対のバンド取付部３の各ケース取付片５の下面に配置する。このときには、鍔部１８の各ねじ挿入孔１８ａをケース取付片５の各ねじ止め部７のねじ孔７ａに同一軸上で対応させる。
【００３７】
この状態で、第２ねじ部材１９のねじ部１９ａを裏蓋１７の下側から鍔部１８のねじ挿入孔１８ａに挿入させて、ねじ止め部７のねじ孔７ａに下側から螺合させて締め付ける。すると、裏蓋１７の一対の鍔部１８が一対のバンド取付部３の各ケース取付片５に取り付けられる。このときには、第２ねじ部材１９のねじ部１９ａの先端が第１ねじ部材１６のねじ部１６ａの先端に当接することなく、隙間を持って接近する。
【００３８】
このため、第２ねじ部材１９のねじ部１９ａをねじ止め部７のねじ孔７ａに螺合させて締め付けても、第２ねじ部材１９のねじ部１９ａの先端が第１ねじ部材１６のねじ部１６ａの先端に当接することがないので、第２ねじ部材１９の頭部１９ｂが鍔部１８をバンド取付部３のケース取付片５の下面に押し付ける。このため、裏蓋１７がバンド取付部３のケース取付片５に確実に取り付けられる。
【００３９】
これにより、この腕時計ケースでは、ケース本体１の側部に位置決め部４によって位置決めされたバンド取付部３に、外装部材１１が第１ねじ部材１６によって取り付けられていると共に、裏蓋１７が第２ねじ部材１９によって取り付けられているので、ケース本体１を外装部材１１と裏蓋１７とで挟み込むことができる。
【００４０】
このため、外装部材１１と裏蓋１７とが外部から衝撃を受けても、その衝撃をバンド取付部３で受け止めることができ、これにより衝撃が直接ケース本体１に加わることがないので、耐衝撃性を高めることができ、かつケース本体１をコンパクトに形成することができるので、ケース全体の小型化を図ることができる。
【００４１】
すなわち、この腕時計ケースでは、ケース本体１の側部に位置決め部４によって位置決めされたバンド取付部３に外装部材１１が第１ねじ部材１６によって取り付けられているので、外装部材１１がその上方から衝撃を受けると、その衝撃をバンド取付部３で受け止めることができる。このため、外装部材１１が受けた衝撃が直接ケース本体１に加わることがない。
【００４２】
このときには、外装部材１１とケース本体との間に第２緩衝部材１２が配置されているので、外装部材１１がその上方から衝撃を受けた際に、第２緩衝部材１２によって衝撃を緩衝することができる。このため、バンド取付部３に加わる衝撃を軽減することができるので、衝撃が直接ケース本体１に伝わるのを防ぐことができる。
【００４３】
この場合、外装部材１１は、第１ねじ部材１６のねじ部１６ａがバンド取付部３のケース取付片５における両側のねじ止め部７のねじ孔７ａに螺合して締め付けられた際に、第１ねじ部材１６の首下部１６ｂがねじ止め部７の上面に当接した状態で、外装部材１１がバンド取付部３に取り付けられているので、外装部材１１がその上方から衝撃を受けた際に、その衝撃を第２緩衝部材１２が良好に緩衝することができ、これにより外装部材１１が受けた衝撃がバンド取付部３に伝わるのを確実に防ぐことができる。
【００４４】
また、バンド取付部３のバンド連結片６がケース本体１の外周側の外部から衝撃を受けた際には、ケース本体１とバンド取付部３のケース取付片５との間に配置された第１緩衝部材１０によって衝撃を緩衝することができるので、バンド取付部３のバンド連結片６が受けた衝撃がケース本体１に伝わらないようにすることができる。
【００４５】
また、裏蓋１７が下側から衝撃を受けた際には、裏蓋１７の一対の鍔部１８が第２ねじ部材１９によって一対のバンド取付部３における各ケース取付片５の下面に取り付けられているので、裏蓋１７が受けた衝撃を一対のバンド取付部３における各ケース取付片５で受け止めることができ、これにより衝撃が直接ケース本体１に加わらないようにすることができる。
【００４６】
この場合、裏蓋１７は、ケース本体１の下面に防水パッキン１７ａを介して配置されているので、裏蓋１７が下側から衝撃を受けた際に、その衝撃を防水パッキン１７ａによって緩衝することができるので、これによっても衝撃がケース本体１に加わらないようにすることができる。
【００４７】
このように、この腕時計ケースによれば、ケース本体１と、このケース本体１の側部に配置されるバンド取付部３と、ケース本体１の上部外周に装着される外装部材１１と、バンド取付部３をケース本体１の側部に位置決めする位置決め部４と、この位置決め部４の両側に位置し、バンド取付部３に設けられて、外装部材１１が第１ねじ部材１６によって取り付けられるねじ止め部７と、を備えていることにより、耐衝撃性を高めることができる。
【００４８】
すなわち、この腕時計ケースでは、ケース本体１の側部に位置決め部４によって位置決めされたバンド取付部３に外装部材１１が第１ねじ部材１６によって取り付けられているので、外装部材１１がその上方から衝撃を受けると、その衝撃をバンド取付部３で受け止めることができる。このため、外装部材１１が受けた衝撃が直接ケース本体１に加わることがないので、耐衝撃性を高めることができる。
【００４９】
この場合、位置決め部４は、ケース本体１の側部に設けられた突起部８と、バンド取付部３に設けられて突起部８が嵌合する係合凹部９と、を備えていることにより、ケース本体１の突起部８にバンド取付部３の係合凹部９を嵌合させることにより、バンド取付部３をケース本体１の側部に確実に位置決めすることができる。
【００５０】
すなわち、この位置決め部４は、ケース本体１の突起部８にケース取付片５の係合凹部９が嵌合した際に、ケース本体１の側部に対するバンド取付部３の上下方向の位置を規制することができると共に、ケース本体１の側部におけるバンド取付部３の円周方向の位置を規制することができる。これにより、ケース本体１の側部にバンド取付部３を位置決め部４によって確実にかつ良好に位置決めすることができる。
【００５１】
また、この腕時計ケースでは、ケース本体１とバンド取付部３との間に第１緩衝部材１０が設けられていることにより、バンド取付部３がケース本体１の外周側の外部から衝撃を受けた際に、ケース本体１とバンド取付部３との間に配置された第１緩衝部材１０によって衝撃を緩衝することができるので、バンド取付部３が受けた衝撃がケース本体１に伝わらないようにすることができ、これによっても耐衝撃性を高めることができる。
【００５２】
また、この腕時計ケースでは、外装部材１１とケース本体１との間に第２緩衝部材１２が設けられていることにより、外装部材１１がその上方から衝撃を受けた際に、第２緩衝部材１２によって衝撃を緩衝することができる。このため、バンド取付部３に加わる衝撃を軽減することができるので、衝撃が直接ケース本体１に伝わるのを防ぐことができ、これによっても耐衝撃性を高めることができる。
【００５３】
この場合、外装部材１１とねじ止め部７との間には、装飾部材１５が設けられていることにより、外装部材１１がその上方から衝撃を受けた際に、第２緩衝部材１２と共に装飾部材１５によっても衝撃を軽減することができる。また、この装飾部材１５は、外装部材１１とねじ止め部７との間に配置された際に、装飾部材１５の両端部がねじ止め部７と取付カバー部１３との間から外部に露出するので、この露出した装飾部材１５の両端部がデザイン的なアクセントになるので、デザイン性を高めることができる。
【００５４】
また、この腕時計ケースでは、第１ねじ部材１６が、外装部材１１と装飾部材１５とのねじ挿入孔１３ａ、１５ａに挿入されてねじ止め部７に当接する首下部１６ｂを備えた段付きねじであることにより、外装部材１１がその上方から衝撃を受けた際に、その衝撃を第２緩衝部材１２によって確実にかつ良好に緩衝させることができ、これにより外装部材１１が受けた衝撃がバンド取付部３に伝わるのを軽減することができる。
【００５５】
すなわち、第１ねじ部材１６は、ねじ止め部７のねじ孔７ａに螺合するねじ部１６ａと、外装部材１１の取付カバー部１３のねじ挿入孔１３ａと装飾部材１５のねじ挿入孔１５ａとに挿入してねじ止め部７の上面に当接する首下部１６ｂと、外装部材１１の取付カバー部１３におけるねじ挿入孔１３ａの内径よりも外径が大きい頭部１６ｃと、を備えているので、第１ねじ部材１６によって外装部材１１をバンド取付部３のケース取付片５に確実にかつ良好に取り付けることができる。
【００５６】
この場合、第１ねじ部材１６は、ねじ部１６ａがねじ止め部７のねじ孔７ａに螺合して締め付けられた際に、第１ねじ部材１６の首下部１６ｂを外装部材１１の取付カバー部１３のねじ挿入孔１３ａと装飾部材１５のねじ挿入孔１５ａとに挿入させてねじ止め部７の上面に押し当てることができるので、外装部材１１と第２緩衝部材１２と装飾部材１５とを頭部１６ｃで押し付けすぎずに、一定の押圧力で良好に押えることができる。
【００５７】
このため、この腕時計ケースでは、外装部材１１がその上方から衝撃を受けた際に、その衝撃を第２緩衝部材１２によって確実にかつ良好に緩衝することができ、これにより外装部材１１が受けた衝撃がバンド取付部３に伝わらないようにすることができるので、より一層、耐衝撃性を高めることができる。
【００５８】
さらに、この腕時計ケースでは、ケース本体１の下部に配置される裏蓋１７と、ねじ止め部７のねじ孔７ａに下側から螺合して裏蓋１７をねじ止め部７に取り付ける第２ねじ部材１９と、を備えていることにより、裏蓋１７が下側から衝撃を受けた際に、裏蓋１７が受けた衝撃を一対のバンド取付部３における各ケース取付片５で確実に受け止めることができるので、衝撃が直接ケース本体１に加わらないようにすることができる。
【００５９】
すなわち、裏蓋１７は、一対のバンド取付部３の下部に配置される一対の鍔部１８を備え、これら一対の鍔部１８に設けられたねじ挿入孔１８ａに第２ねじ部材１９のねじ部１９ａを挿入させてねじ止め部７のねじ孔７ａに下側から螺合させ、この状態で第２ねじ部材１９を締め付けることにより、裏蓋１７をバンド取付部３に確実にかつ良好に取り付けることができる。
【００６０】
このため、この腕時計ケースでは、裏蓋１７が下側から衝撃を受けた際に、その衝撃を一対のバンド取付部３における各ケース取付片５で確実にかつ良好に受け止めることができる。この場合、裏蓋１７は、ケース本体１の下面に防水パッキン１７ａを介して配置されているので、裏蓋１７が下側から衝撃を受けた際に、その衝撃を防水パッキン１７ａによって緩衝することができるので、これによっても耐衝撃性を高めることができる。
【００６１】
このように、この腕時計ケースでは、ケース本体１の側部に位置決め部４によって位置決めされたバンド取付部３に、外装部材１１が第１ねじ部材１６によって取り付けられていると共に、裏蓋１７が第２ねじ部材１９によって取り付けられているので、ケース本体１を外装部材１１と裏蓋１７とで挟み込むことができる。
【００６２】
このため、この腕時計ケースでは、外装部材１１と裏蓋１７とが外部から衝撃を受けても、その衝撃をバンド取付部３で受け止めることができ、これにより衝撃が直接ケース本体１に加わることがないので、耐衝撃性を高めることができ、かつケース本体１をコンパクトに形成することができるので、ケース全体の小型化を図ることができる。
【００６３】
なお、上述した実施形態では、ケース本体１の側部に突起部８を設け、バンド取付部３に係合凹部９を設けた場合について述べたが、この発明は、これに限らず、例えば、ケース本体１の側部に係合凹部９を設け、バンド取付部３に突起部８を設けた構造であっても良い。
【００６４】
また、上述した実施形態では、第１緩衝部材１０は、ケース本体１の突起部８の上側とバンド取付部３の係合凹部９の上側とに位置するケース本体１の側部とケース取付片５の内面との間に配置された場合について述べたが、第１緩衝部材１０は、ケース本体１の突起部８とバンド取付部３の係合凹部９との間に配置されても良く、さらに、両方に配置されても良い。
【００６５】
また、上述した実施形態では、バンド取付部３のバンド連結片６は、ケース取付片５の外側面における中間部からケース本体１の外部側に向けて突出した構造であったが、ケース取付片５の外側面における両端部からケース本体１の外部側に向けて２箇所突出した部分を設けた構造であっても良い。
【００６６】
また、上述した実施形態では、第１ねじ部材１６と第２ねじ部材１９は、同じねじ止め部７のねじ孔７ａに螺合する構造であったが、ねじ止め部７のねじ孔７ａを別々に設けた構造であっても良い。
【００６７】
また、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、携帯電話機や携帯端末機などの電子機器にも適用することができる。
【００６８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６９】
（付記）
請求項１に記載の発明は、ケース本体と、前記ケース本体の側部に配置されるバンド取付部と、前記ケース本体の上部に装着される外装部材と、前記バンド取付部を前記ケース本体の側部に位置決めする位置決め部と、前記位置決め部の両側に位置し、前記バンド取付部に設けられ、前記外装部材が第１ねじ部材によって取り付けられるねじ止め部と、を備えていることを特徴とするケースである。
【００７０】
請求項２に記載の発明は、請求項１に記載のケースにおいて、前記位置決め部は、前記ケース本体と前記バンド取付部との一方に設けられた突起部と、前記ケース本体と前記バンド取付部との他方に設けられて前記突起部が係合する係合部と、を備えていることを特徴とするケースである。
【００７１】
請求項３に記載の発明は、請求項１または請求項２に記載のケースにおいて、前記ケース本体と前記バンド取付部との間には、第１緩衝部材が設けられていることを特徴とするケースである。
【００７２】
請求項４に記載の発明は、請求項１〜請求項３のいずれかに記載のケースにおいて、前記外装部材と前記ケース本体との間には、第２緩衝部材が設けられていることを特徴とするケースである。
【００７３】
請求項５に記載の発明は、請求項１〜請求項４のいずれかに記載のケースにおいて、前記外装部材と前記ねじ止め部との間には、装飾部材が設けられていることを特徴とするケースである。
【００７４】
請求項６に記載の発明は、請求項１〜請求項５のいずれかに記載のケースにおいて、前記第１ねじ部材は、前記外装部材と前記装飾部材との挿入孔に挿入されて前記ねじ止め部に当接する首下部を備えた段付きねじであることを特徴とするケースである。
【００７５】
請求項７に記載の発明は、請求項１〜請求項６のいずれかに記載のケースにおいて、前記ケース本体の下部に配置される裏蓋と、前記裏蓋を前記ねじ止め部に取り付ける第２ねじ部材と、を備えていることを特徴とするケースである。
【００７６】
請求項８に記載の発明は、請求項１〜請求項７のいずれかに記載されたケースを備えていることを特徴とする時計である。
【符号の説明】
【００７７】
１  ケース本体
３  バンド取付部
４  位置決め部
５  ケース取付片
６  バンド連結片
７  ねじ止め部
７ａ  ねじ孔
８  突起部
９  係合凹部
１０  第１緩衝部材
１１  外装部材
１２  第２緩衝部材
１３  取付カバー部
１３ａ  １５ａ  ねじ挿入孔
１５  装飾部材
１６  第１ねじ部材
１６ａ  ねじ部
１６ｂ  首下部
１６ｃ  頭部
１７  裏蓋
１８  鍔部
１８ａ  ねじ挿入孔
１９  第２ねじ部材
【図１】
2019060765.tif 000003
【図２】
2019060765.tif 000004
【図３】
2019060765.tif 000005
【図４】
2019060765.tif 000006